(57)【要約】      （修正有）【課題】縦型回転棚装置における水平棚を、水平軸周りに、縦長楕円形の軌跡を持って上下方向に回転走行させるようにした縦型回転棚装置を提供する。【解決手段】回転棚装置における無端ガイドレール部品の上部逆Ｕ形及び下部Ｕ形ガイドレールを内側１８ａ、２０ａと外側１８ｂ、２０ｂとして個別に制作し、ガイド固定板２１、２２にボルトで固定することで、逆Ｕ形・Ｕ形ガイドレールを製作するので、少量・多品種でも、短納期でしかも安価に提供出来る。【選択図】図２
0003208987.tif 000002
【実用新案登録請求の範囲】
【請求項１】
左右一対のフレームの上部に設けた従動スプロケットと、下部に設けた駆動スプロケット間に無端チエーンを巻回し、この無端チエーンに多数の水平棚を取付け、前記水平棚が不測に揺れることなく移動するように、無端チエーンの外側に形成した無端経路上で移動案内する無端ガイドレールを設けた回転棚装置において、該無端ガイドレールを構成する上部逆Ｕ形レールと下部Ｕ形レール部品を内側部分と外側部部分として別々にレーザーで溶断製作し、レール固定板上にボルトで締結することで、上部逆Ｕ形レール及び下部Ｕ形レールとしての機能を有することを特徴とする縦型回転棚装置。
【考案の詳細な説明】
【技術分野】
【０００１】  本考案は、縦型回転棚装置における水平棚を、水平軸周りに、縦長楕円形の軌跡を持って上下方向に回転走行させるようにした縦型回転棚装置に関する。
【背景技術】
【０００２】  従来、この種の縦型回転棚装置は、上部に設けた従動スプロケットと下部に設けた駆動スプロケット間に無端チエーンを巻回し、この無端チエーンに複数の水平棚を取付け、前記無端チエーンを回転させることによって、水平棚を走行させるようになっている。このような縦型回転棚装置は、工場や倉庫あるいは事務所又はホテル等で、部品や書類等又は食器の整理や収納用として、広く使用されている。
【先行技術文献】
【特許文献】
【０００３】
【特許文献１】  特開平５−２９４４１３
【考案の概要】
【考案が解決しようとする課題】
【０００４】  従来この種の回転棚設備は、水平棚側面に具備されたガイドローラが、上部の逆Ｕ形ガイドレール、下部Ｕ形ガイドレールと中間の直線ガイドレールからなる無端ガイドレールの溝内を走行することで水平棚が不測に振れることなく移動する。【０００５】  通常、上下の逆Ｕ・Ｕ形ガイドレールは、鋼板を溶接により一体化するか、型によるプレス加工または鋳物で一体形成したものを使用している。【０００６】  前記直線ガイドレールは、無端チエーンに取付けたアームが直線部にあるときは直線であるが、上下のスプロケットと噛み合った際の軌跡は放物線状となるので、上下の逆Ｕ・Ｕ形ガイドレールを小数生産する場合は、鋼板上で軌跡を罫書き、切断して板状の鋼板を溶接により一体構造にする。又、量産の場合は型によりプレス加工または鋳物で一体形成したものを使用するのが普通である。
【課題を解決するための手段】
【０００７】  本考案は、この上下の逆Ｕ・Ｕ形ガイドレールを、レール溝内を走行するガイドローラ外径の軌跡として外側・内側別々にレーザー溶断して製作し、ガイド固定板にボルトで固定することで、欠点を解決するものである。
【考案の効果】
【０００８】  鋼板溶接による上下逆Ｕ・Ｕ形ガイドレールの製作は、時間とコストがかかり、品質も安定しない。型による量産の場合は単価も安価になるが、水平棚の奥行や高さ寸法が変更になるとその都度、型から製作する必要が生じる。上述によるレーザー溶断での部品製作は、設計段階でプログラム対応が可能で少量・多品種でも、短納期でしかも安価に提供できる。
【図面の簡単な説明】
【０００９】
【図１】本考案の一実施例を示す外観を示す斜視図である。
【図２】本考案の一実施例を示す回転棚装置の縦断側面図である。
【図３】本考案の一実施例を示す回転棚装置の横断平面図である。
【図４】本考案の一実施例を示す回転棚装置の縦断正面図である。
【図５】本考案の一実施例を示すフルガイドを示す概略的斜視図である。
【図６】本考案の一実施例を示すハーフガイドを示す概略的斜視図である。
【考案を実施するための形態】
【００１０】  囲壁体内の左右一対のフレームの上部に設けた従動スプロケットと、下部に設けた駆動スプロケット間に無端チエーンを巻回し、この無端チエーンに多数の水平棚を取付け、前記水平棚が不測に揺れることなく走行するように、無端チエーンの外側に形成した無端経路上で移動案内する無端ガイドレールを設けた回転棚装置で、該無端ガイドレールの上逆Ｕ・下Ｕ形ガイドレール部分を外側・内側別々にレーザー溶断して製作し、ガイド固定板にボルトで固定して使用する
【実施例】
【００１１】  以下、添付図面に従って一実施例を説明する。図１において１は囲壁体で、この囲壁体１は、外面はカバー２に覆われ、正面の入出庫口のみ開閉可能なシャッター３からなり、内部は骨組として下部ベース４と上梁枠５の間に、四隅に立設した支柱６と内部に一対の左右フレーム７から構成され、各々がボルトナットなどで固定されている。【００１２】  上記の様に構成された１対の左右フレーム７の上部には回転自在の従動スプロケット８が固定され、下部には調整可能な長穴で締結された駆動軸９があり、この駆動軸９に固定された駆動スプロケット１０の間に無端チエーン１１を巻回し、この無端チエーン１１にアーム１２を介して複数の水平棚１３を取り付けてある。【００１３】  アーム１２は２本１組で、その遊端間を相対回転自在のピン付ハンガー１４で水平棚１３を支持させて揺動自在としている。このピン付ハンガー１４に固着したサブアーム１５の遊端に取付けられガイドローラ１６を案内する目的で、前記無端チエーン１１の外側に上下に長い無端状ガイドレール１７として配設してある。この無端ガイドレール１７は、上部の逆Ｕ形ガイドレール１８と直線形ガイドレール１９と、下部Ｕ形ガイドレール２０の３分割で構成されている。【００１４】  本考案は、上部逆Ｕ形ガイドレール１８を上部逆Ｕ形レール内側１８ａと上部逆Ｕ形レール外側１８ｂとして個別に制作し、上ガイド固定板２１にボルトで固定することで、上部逆Ｕ形ガイドレール１８を構成している。同様に、下部Ｕ形ガイドレール２０も下部Ｕ形レール内側２０ａと下部Ｕ形レール外側２０ｂとを個別に制作し、下ガイド固定板２２にボルトで固定することで、下部のＵ形ガイドレール２０を構成している。【００１５】  駆動スプロケット１０と一体をなす駆動軸９の一端と、別置の電磁ブレーキ付モーター２３を結合したウオーム減速機２４の出力軸間を、巻掛電動装置により連動連結して、動力伝達することで、前記駆動軸が回転すると、駆動スプロケット１０、無端チエーン１１も連動回転し、水平棚１３もサブアーム１５のガイドローラ１６が無端ガイドレール１７に案内され、水平軸回りを不測に揺れることなく走行させることができる。
【他の実施例】
【００１６】  本考案の上部逆Ｕ形ガイドレール１８及び下部Ｕ形ガイドレール２０は、水平棚振れ防止部品のサブアームの向きによっては４５度付近では効果が薄いので、図５の如くフルガイドでなく図６の様にハーフガイドとしてもよい。
【符号の説明】
【００１５】  １    囲壁体
２    カバー
２ａ  前面上カバー
２ｂ  前面下カバー
２ｃ  側面カバー
２ｄ  後面カバー
２ｅ  天井カバー
３    シャッター
４    下部ベース
５    上梁枠
６    支柱
６ａ  前支柱
６ｂ  後支柱
７    フレーム
８    従動スプロケット
９    駆動軸
１０    駆動スプロケット
１１    無端チエーン
１２    アーム
１３    水平棚
１４    ピン付ハンガー
１５    サブアーム
１６    ガイドローラ
１７    無端ガイドレール
１８    上部逆Ｕ形フルガイドレール
１８ａ  上部逆Ｕ形フルガイドレール内側
１８ｂ  上部逆Ｕ形フルガイドレール外側
１９    直線形ガイドレール
２０    下部Ｕ形フルガイドレール
２０ａ  下部Ｕ形フルガイドレール内側
２０ｂ  下部Ｕ形フルガイドレール外側
２１    上ガイド固定板
２２    下ガイド固定板
２３    電磁ブレーキ付モーター
２４    ウオーム減速機
２５    巻掛電動装置
２６    テーブル
２７    操作パネル
２８    上部逆Ｕ形ハーフガイドレール
２８ａ  上部逆Ｕ形ハーフガイドレール内側
２８ｂ  上部逆Ｕ形ハーフガイドレール外側
２９    下部Ｕ形ハーフガイドレール
２９ａ  下部Ｕ形ハーフガイドレール内側
２９ｂ  下部Ｕ形ハーフガイドレール外側
【図１】
0003208987.tif 000003
【図２】
0003208987.tif 000004
【図３】
0003208987.tif 000005
【図４】
0003208987.tif 000006
【図５】
0003208987.tif 000007
【図６】
0003208987.tif 000008